(57)【特許請求の範囲】
【請求項１】
パイプ連結部を備えた連結ユニットと、
前記連結ユニットと共に一つの床を形成するように前記連結ユニットに沿って一列に設けられ、パイプが配管され、前記連結ユニットと連結される部分に、前記パイプに流れる温水又は冷水が流入、排出される流入部、排出部がそれぞれ備えられ、前記パイプが前記パイプ連結部を介して相互連結される複数の配管パネルと、
を含み、
前記連結ユニットは、前記パイプ連結部が設けられるパイプ連結空間を有し、前記パイプが貫通される貫通部が形成された連結ユニットパネルを含み、
前記連結ユニットパネルは、前記パイプ連結空間を覆蓋し、上面が前記配管パネルの上面と一つの平面をなす上面パネル及び、前記上面パネルと共に前記パイプ連結空間を形成するように前記上面パネルの下側に設けられ、前記上面パネルを支えるパネル受台を含み、
前記パネル受台は支柱からなり、前記連結ユニットパネルの貫通部を形成するように前記連結ユニットパネルの貫通部を中心に複数に分割されたことを特徴とするフロアパネルシステム。
【請求項２】
前記連結ユニットは、前記複数の配管パネルの一列の方向の垂直方向に沿って前記複数の配管パネルのいずれか一方に設けられ、
上記配管パネルの流入部と排出部が相互前記複数の配管パネルの一列の方向に沿って並んで備えられたことを特徴とする請求項１に記載のフロアパネルシステム。
【請求項３】
前記配管パネルは、前記パイプが配管される配管層と、前記配管層の下側に設けられる断熱層、前記配管層の上面に設けられ、莚からなる表皮層を含むことを特徴とする請求項１又は２に記載のフロアパネルシステム。
【請求項４】
前記配管層は、おがくずからなることを特徴とする請求項３に記載のフロアパネルシステム。
【請求項５】
前記配管パネルは、前記配管層と前記表皮層との間及び前記配管層と前記断熱層との間の少なくともいずれか一つに設けられ、
水分を吸収しうるおがくずからなる水分吸収層を、さらに含むことを特徴とする請求項３に記載のフロアパネルシステム。
【請求項６】
前記配管パネルは、前記配管層と前記表皮層との間に設けられ、銅板からなる伝導層を、さらに含むことを特徴とする請求項３に記載のフロアパネルシステム。
【請求項７】
前記配管パネルは、前記断熱層の下側に設けられ、前記配管層を支持しながら前記配管パネルの全体形状を保持する補強層を、さらに含むことを特徴とする請求項３に記載のフロアパネルシステム。
【請求項８】
前記連結ユニットは、前記複数の配管パネルに対して、一体型で構成されるか、相互分離できるように複数に分割形成された分割型で構成されることを特徴とする請求項１又は２に記載のフロアパネルシステム。
【請求項９】
前記配管パネルのパイプは、前記パイプ連結部を介して相互一つの配管ラインに連結され、
前記連結ユニットは、前記配管ラインの入口、出口とそれぞれ前記パイプ連結部を介して連結される流入パイプと排出パイプを含むことを特徴とする請求項１又は２に記載のフロアパネルシステム。
【請求項１０】
前記パイプ連結部は、前記パイプがそれぞれ結合されるカプラーと、前記カプラー間に設けられる連結パイプと、を含むことを特徴とする請求項１又は２に記載のフロアパネルシステム。
【請求項１１】
前記カプラーは、Ｌ字状からなることを特徴とする請求項１０に記載のフロアパネルシステム。
【請求項１２】
前記パイプ連結部は、前記パイプがコ字状で連結され、
前記パイプは、前記配管パネルと連結ユニットの連結方向に沿って直線に前記パイプ連結部に連結されることを特徴とする請求項１又は２に記載のフロアパネルシステム。
【発明の詳細な説明】
【技術分野】
【０００１】
本発明は、フロアパネルシステムに関し、より詳しくは、冷暖房などができるように施工されるフロアパネルシステムに関するものである。
【背景技術】
【０００２】
図１及び図２は、それぞれ特許文献１の図５、図６であり、従来技術の場合、温水又は冷水が流れるパイプが配管された折り畳みパネルを、フロアに複数個設け、フロア構造に施工することを開示している。
【０００３】
しかし、前記のような従来技術は、各折り畳みパネルのパイプの流入口が、その隣接する折り畳みパネルのパイプの排出口とカプラー又はバルブなどにより相互連結される構造であり、以下の問題が指摘されている。
【０００４】
即ち、カプラー又はバルブにより折り畳みパネル間が広がって隙間が生じる問題があった。
【０００５】
また、折り畳みパネルのパイプをカプラー又はバルブで相互連結するために、パイプの流入口及び排出口が外部に露出するように連結部を形成すると共に、連結部を開閉部により覆蓋することによって、折り畳みパネルの構造及び施工が複雑になる問題があった。
【先行技術文献】
【特許文献】
【０００６】
【特許文献１】韓国特許第１０−０８５７０７５号
【発明の概要】
【発明が解決しようとする課題】
【０００７】
本発明は、前記のような問題点を解決するためのものであり、配管パネルと連結ユニットが相互一つのフロアをなすように設けられ、配管パネルに配管されたパイプが連結ユニットを介して連結できるようにしたフロアパネルシステムを提供することを目的とする。
【課題を解決するための手段】
【０００８】
前記した課題を解決するために、本発明は、パイプ連結部を備えた連結ユニットと、前記連結ユニットと共に一つのフロアをなすように前記連結ユニットに沿って一列に設けられ、前記パイプが配管され、前記連結ユニットと連結される部分に、前記パイプが流入、排出される流入部、排出部がそれぞれ備えられ、前記パイプが前記パイプ連結部を介して相互連結される複数の配管パネルと、を含むことを特徴とするフロアパネルシステムを提示する。
【０００９】
前記連結ユニットは、前記複数の配管パネルの一列方向の垂直方向に沿って前記複数の配管パネルのいずれか一方に設けられ、前記配管パネルの流入部と排出部が相互前記複数の配管パネルの一列方向に沿って並んで備えられている。
【００１０】
前記配管パネルは、前記パイプが配管される配管層と、前記配管層の下側に設けられる断熱層、前記配管層の上面に設けられ、莚からなる表皮層を含む。
【００１１】
前記配管層は、おがくずからなっていてもよい。
【００１２】
前記配管パネルは、前記配管層と前記表皮層と間及び前記配管層と前記断熱層と間の少なくともいずれか一つに設けられ、水分を吸収しうるおがくずをフォーム(form）状に製造してなる水分吸収層を、更に含む。
【００１３】
前記配管パネルは、前記配管層と前記表皮層間に設けられ、銅板からなる伝導層を、更に含む。
【００１４】
前記配管パネルは、前記断熱層の下側に設けられ、前記配管層を支持しながら前記配管パネルの全体形状を保持する補強層を、更に含む。
【００１５】
前記連結ユニットは、前記複数の配管パネルに対して一体型で構成されるか、相互分離できるように複数に分割形成された分割型で構成されてもよい。
【００１６】
前記連結ユニットは、前記パイプ連結部が設けられるパイプ連結空間を有し、前記パイプが貫通される貫通部が形成された連結ユニットパネルを含む。
【００１７】
前記連結ユニットパネルは、前記パイプ連結空間を覆蓋し、上面が前記配管パネルの上面と一つの平面をなす上面パネル及び、前記上面パネルと共に前記パイプ連結空間を形成するように前記上面パネルの下側に設けられ、前記上面パネルを支えるパネル受台を含む。
【００１８】
前記パネル受台は支柱からなり、前記連結ユニットパネルの貫通部を形成するように前記連結ユニットパネルの貫通部を中心に複数に分割されてもよい。
【００１９】
前記配管パネルのパイプは、前記パイプ連結部を介して相互一つの配管ラインに連結され、前記連結ユニットは、前記配管ラインの入口、出口とそれぞれ前記パイプ連結部介して連結される流入パイプと排出パイプを含む。
【００２０】
前記パイプ連結部は、前記パイプがそれぞれ結合されるカプラーと、前記カプラー間に設けられる連結パイプを含む。
【００２１】
前記カプラーは、Ｌ字状で形成されていてもよい。
【００２２】
前記パイプ連結部は、前記パイプがコ字状に連結され、前記パイプは、前記配管パネルと連結ユニットの連結方向に沿って直線に前記パイプ連結部に連結される。
【発明の効果】
【００２３】
本発明に係るフロアパネルシステムは、パイプが配管された配管パネル及びパイプ連結部を備えた連結ユニットが、共に一つのフロア構造をなすように施工され、配管パネルのパイプがその隣接した配管パネルのパイプと連結ユニットで相互連結されることによって、配管パネルと配管パネルと間にパイプ、パイプ連結部などの干渉要素がなくなり、配管パネルと配管パネルが相互隙なく密着できるという効果を奏する。
【００２４】
また、本発明に係るフロアパネルシステムは、配管パネルのパイプがその隣接した配管パネルのパイプと連結ユニットで相互連結されるため、配管パネルにパイプ連結のための連結口、覆蓋部材などの要素を省略することができ、配管パネルの構造が簡単になる効果を奏する。
【００２５】
さらに、本発明に係るフロアパネルシステムは、配管パネルのパイプがその隣接した配管パネルのパイプと連結ユニットで相互連結されるため、パイプとパイプの連結、分離作業が容易になる効果を奏する。
【００２６】
また、本発明に係るフロアパネルシステムは、複数の配管パネルが一列に連結され、連結ユニットが前記一列の垂直方向に配管パネルと連結されるため、連結ユニットの数を最小にし、フロア構造の縁に配置でき、連結ユニットと配管パネルとの配置構造が簡単になり、施工が容易になる効果を奏する。
【００２７】
さらに、本発明に係るフロアパネルシステムは、連結ユニットの連結ユニットパネルがカバーのように構成されることによって、連結ユニットパネルの設置、分離が容易であり、パイプとパイプとの連結、分離作業が容易になる効果を奏する。
【図面の簡単な説明】
【００２８】
【図１】従来技術に係る一例を示す概念図である。
【図２】図１の一例に係るフロア構造を示す平面図である。
【図３】本発明の一実施例に係るフロアパネルシステムの施工状態の一部を示す平面図である。
【図４】図３の各ユニットの分解状態を示す平面図である。
【図５】図３の線Ａ−Ａに係る断面図である。
【図６】本発明の一実施例に係るフロアパネルシステムの連結ユニットの底面図である。
【図７】図６の線Ｂ−Ｂに係る断面図である。
【図８】本発明のさらに別の実施例に係るフロアパネルシステムの施工状態一部を示す平面図である。
【発明を実施するための形態】
【００２９】
以下、添付図面を参照して本発明の実施例を詳細に説明する。
【００３０】
図３〜図８を参照すると、本発明の一実施例に係るフロアパネルシステムは、メインユニット１０と、少なくとも一つの連結ユニット５０を含む。
【００３１】
メインユニット１０は、連結ユニット５０と共に一つのフロアをなすように前記連結ユニット５０に沿って一列に設けられ、パイプ２０が配管され、連結ユニット５０と連結される部分にパイプ２０が流入、排出される流入部、排出部がそれぞれ備えられ、パイプ２０が連結ユニット５０のパイプ連結部を介して相互一つの配管ラインに連結される複数の配管パネル３０を含む。
【００３２】
配管パネル３０は、様々な形状からなっていてもよく、好ましくは、矩形パネルからなっていてもよい。
【００３３】
配管パネル３０は、パイプ２０が配管される配管層３２と、配管層３２の下側に設けられる断熱層３４と、配管層３２の上面に設けられ、莚３６ａで構成される表皮層３６を含むことができる。
【００３４】
配管層３２は、パイプ２０配管のために管路３２ｂを備えるものであり、配管層３２をなす配管層部材３２ａが管路３２ｂを中心に複数に分割されて構成されるか、配管層部材３２ａに管路３２ｂをなす溝や穴が加工されてもよい。配管層部材３２ａは一つのパネルからなっていてもよく、幾つかのパネルが上下積層されていてもよく、配管層部材３２ａは、おがくずをフォームのように製造してなされていてもよい。
【００３５】
断熱層３４は、パイプ２０に沿って流れる冷水、温水による冷気、温気が表皮層３６のみへ伝達されるように配管層３２の下側に熱伝逹されるのを遮断するためのものであり、発泡スチロールなどの様々な材質の断熱材により一つ又は複数個の層からなってもよい。
【００３６】
表皮層３６は、本発明に係るフロアパネルシステムの表面をなすものであり、本発明に係るフロアパネルシステムの用途などに応じて、様々な構成が可能である。例えば、表皮層３６は折り畳みを構成するように、折り畳みの材料であるワングル、イグサなどにより製作された莚３６ａを含んでもよい。表皮層３６は、配管パネル３０のエッジに該当する部分が絹、麻、木綿などの材質からなる縁３６ｂに覆われてもよい。
【００３７】
一方、配管パネル３０は水分吸収層３８を、さらに含んでもよい。
【００３８】
水分吸収層３８は、配管層３２と表皮層３６との間及び配管層３２と断熱層３４との間の少なくともいずれか一つに設けられ、水分吸収及び排出がスムーズに行われるおがくずによりフォームのように製造されてもよい。
【００３９】
また、配管パネル３０は伝導層４０を、さらに含んでもよい。
【００４０】
伝導層４０は、パイプ２０に沿って流れる冷水、温水による冷気、温気が表皮層３６へ効率的に伝達できるようにするためのものであり、配管層３２と表皮層３６と間に設けられ、熱伝導率に優れた銅板からなってもよい。
【００４１】
また、配管パネル３０は、補強層４２をさらに含んでもよい。
【００４２】
補強層４２は、断熱層３４の下側に設けられ、配管層３２を支持しながら配管パネル３０の全体形状を保持するものであり、形状保持のための強度を有する部材であればいずれでもよく、例えば、木材からなるベニヤ板、プラスチック段ボールなどが用いられる。
【００４３】
また、配管パネル３０は、配管パネル３０のフロア保護及び美観などのために発泡スチロール４４ａ、不織布４４ｂなどの様々な材質により一つ又は複数個の層からなるフロア仕上げ層４４をさらに含んでもよい。
【００４４】
このような配管パネル３０は、複数の層が接着剤により一体的に結合されてもよいが、より好ましくは、配管層３２に配管されたパイプ２０を避けて決着紐４６の裁縫によって一体的に結合されてもよい。
【００４５】
配管パネル３０の流入部と排出部は、連結ユニット５０が複数の配管パネル３０の一列方向の垂直方向に沿って配管パネル３０のいずれか一方にだけ設けられると共に、配管パネル３０の連結ユニット５０連結部分側に相互複数の配管パネル３０の一列方向に沿って並んで備えられてもよい。即ち、配管パネル３０が矩形からなり、縦辺が隣接した配管パネル３０の縦辺と相互くっ付くように設けられた場合、配管パネル３０の一対の横辺中、連結ユニット５０横辺に配管パネル３０の流入部と排出部が並んで構成される。配管パネル３０に形成された管路３２ｂの両端が、それぞれ、配管パネル３０の流入部、排出部になる。各配管パネル３０に配管パネル３０の流入部、排出部がそれぞれ、一つずつ構成されてもよく、必要に応じて、複数構成されてもよい。
【００４６】
一方、パイプ２０は、内部に冷水、温水などが流れながら表皮に冷気、温気などを効率的に伝達できるように、ポリエチレンのようなプラスチック材質又は銅板などのような金属材質など様々な材質からなる。
【００４７】
パイプ２０は、パイプ連結部に連結されるように、配管パネル３０の流入部、排出部を介して、それぞれ配管パネル３０の外側、即ち、連結ユニット５０に向かって突出されてもよい。
【００４８】
特に、パイプ２０は、配管パネル３０の流入部、排出部を介して、前記した一列方向の垂直方向に沿って直線に突出され、パイプ連結部に連結される。
【００４９】
従って、このように、メインユニット１０が構成されることによって、以下のような作用効果を得ることができる。
【００５０】
配管パネル３０と配管パネル３０との間に、パイプ２０やパイプ連結部などの干渉要素が全くないことから、配管パネル３０と配管パネル３０とを隙なく正確につけて設けることができ、メインユニット１０の施工がより容易になる。
【００５１】
また、パイプ２０とパイプ２０の連結作業が連結ユニット５０で行われるため、配管パネル３０にパイプ２０の連結作業のための連結口及び覆蓋部材などが不要になり、配管パネル３０の構造がより簡単になる。
【００５２】
また、パイプ２０とパイプ２０の連結作業が配管パネル３０と配管パネル３０との間の狭い隙間の代わりに相対的により広い空間である連結ユニット５０で行われるため、パイプ２０とパイプ２０の連結作業がより容易になる。
【００５３】
複数の配管パネル３０は、一列に連結するように設けられ、連結ユニット５０はフロア面に対して、複数の配管パネル３０の一列の垂直方向にメインユニット１０と連結するように設けられてもよい。これにより、一つの連結ユニット５０に、多数の配管パネル３０が連結することができるため、連結ユニット５０の数を最小化し、フロア構造の大部分の領域がメインユニット１０として施工できる。さらに、連結ユニット５０をフロア構造の縁に配置することができ、フロア構造の中央部分がメインユニット１０により施工することができるようになる。また、複数のメインユニット１０と連結ユニット５０と間の配置構造が単調で、フロア構造の施工が容易に行うことができる。
【００５４】
連結ユニット５０は、複数の配管パネル３０に対して、一体型で構成されてもよい。又は連結ユニット５０は相互分離できるように複数に面分割形成された分割型で構成されてもよい。複数の連結ユニット５０は、相互一列又はそれ以外構造で連結するように設けられてもよく、相互離れて設けられていてもよい。
【００５５】
このような連結ユニット５０は、パイプ連結部及び、パイプ連結部が設けられるパイプ連結空間７０ａを覆蓋する連結ユニットパネル７０を含む。
【００５６】
パイプ連結部は、メインユニット１０のパイプ２０を一つの配管ラインに連結するためのものであり、パイプ２０とパイプ２０との連結が可能であれば、いずれであってもよく、カプラーやバルブなどが用いられる。
【００５７】
また、パイプ連結部は、メインユニット１０のパイプ２０がＬ字状、コ字状、Ｔ字状など様々な構造で連結することができ、これにより、多様に構成することができる。例えば、パイプ連結部は、パイプ２０が直ぐに連結できるように複数のパイプ２０と共に連結することができるジョイントだけであってもよい。また、パイプ連結部は図示されるように、パイプ連結部は、メインユニット１０のパイプ２０をコ字状で連結できるように、それぞれのパイプ２０と連結されるＬ字状のジョイント６０及び、Ｌ字状のジョイント６０間に設けられる連結パイプ６２を含むことができる。即ち、一方の配管パネル３０のパイプ２０、Ｌ字状のジョイント６０、連結パイプ６２、更に他のＬ字状のジョイント６０、そして、隣接した配管パネル３０のパイプ２０順で連結することができる。
【００５８】
一方、連結ユニット５０は、メインユニット１０のパイプ２０からなる配管ラインの入口、出口とそれぞれパイプ連結部のジョイントを介して連結される流入パイプ６４と排出パイプ６６を、さらに含んでもよい。即ち、温水や冷水などが流入パイプ６４を介して流入され、メインユニット１０のパイプ２０に流れ、メインユニット１０のパイプ２０に沿って流れ出て、排出パイプ６６を介して循環ポンプや外部などに排出される。このとき、流入パイプ６４と排出パイプ６６は、その長さが長いか、連結ユニット５０が複数に分割形成された場合などに、長手方向に沿って複数に分割され、カプラーやバルブ６８などにより一体的に結合することができる。
【００５９】
連結ユニットパネル７０は、様々な構造からなっていてもよく、前述するように、相互一列に連結された複数の配管パネル３０に対して、前記の一列に長い、一字状構造であってもよい。
【００６０】
連結ユニットパネル７０は、パイプ連結空間７０ａを覆蓋し、上面が配管パネル３０の上面と一つの平面をなす上面パネル７２及び、上面パネル７２と共にパイプ連結空間７０ａを形成するように上面パネル７２の下側に設けられ、上面パネル７２を支えるパネル受台７４を含んでもよい。
【００６１】
上面パネル７２は、連結ユニット５０の内部が外部に露出されないよう遮断するものであり、様々な構成が可能である。より好ましくは、上面パネル７２は、形状保持及び強度確保、円滑な水分吸収及び排出のために、おがくずによってフォームのように製造される本体層７２ａを含むことができ、さらに、本体層７２ａの上面に構成され、上面パネル７２の表面のためにワングル、イグサなどにより製作された莚からなる表皮層７２ｂを、更に含んでもよい。上面パネル７２の表皮層７２ｂは、上面パネル７２のエッジに該当する部分が絹、麻、木綿などの材質からなる縁７２ｃに覆われてもよい。また、上面パネル７２は、本体層７２ａの保護及び上面パネル７２の表皮層７２ｂ、縁７２ｃと本体層７２ａが決着紐の裁縫により容易に一体的に結合できるように、発泡スチロールや不織布などで形成され、本体層７２ａの下側に設けられる補助層７２ｄを、更に含んでもよい。
【００６２】
パネル受台７４は、上面パネル７２を支えるものであり、支柱７４ａからなっていてもよい。支柱７４ａは、配管パネル３０と連結ユニット５０の連結方向に沿って上面パネル７２の両方で上面パネル７２を保持するように設けられ、上面パネル７２とＭＯＳ等により一体的に結合することができる。
【００６３】
支柱７４ａは、配管パネル３０の流入部、排出部とそれぞれ連結され、メインユニット１０のパイプ２０が貫通される貫通部７０ｂを形成するようになっていてもよく、このために、溝や穴が加工されてもよく、又は支柱７４ａの製造容易性などのために連結ユニット５０の貫通部７０ｂを中心に複数に分割されるようになっていてもよい。
【００６４】
また、パネル受台７４は、上面パネル７２により覆蓋できるように上面が開放されたボックス状等、多様に実施することができる。
【００６５】
このような連結ユニットパネル７０は、パイプ連結部を隠匿できるように、カバーのように覆蓋、又は分離することができ、これにより、本発明に係るフロアパネルシステムにより施工されたフロアから連結ユニットパネル７０又は上面パネル７２のみが取り出された状態で、パイプ２０とパイプ２０の連結、分離作業を容易に行うことができる。
【００６６】
以上では、本発明の好ましい実施例を例示的に説明したが、本発明の範囲はこのような特定実施例のみに限定されるものではなく、特許請求の範囲に記載された範疇内で適切に変更可能である。
【図１】
0005802837.tif 000002
【図２】
0005802837.tif 000003
【図３】
0005802837.tif 000004
【図４】
0005802837.tif 000005
【図５】
0005802837.tif 000006
【図６】
0005802837.tif 000007
【図７】
0005802837.tif 000008
【図８】
0005802837.tif 000009